(57)【要約】【課題】本発明は、試運転時に行われる高温液体が生成されたことの確認の動作を利用して、温度検知部と浴槽水引込部との位置関係の判定を効率よく行うことができる給湯システム及び給湯システムの試運転方法を提供することを目的とする。【解決手段】本発明は、熱源が高温液体を生成したことを確認し、高温液体の生成を確認する際に生成されたタンク内の高温液体を用いて浴槽に給湯を行って、少なくとも温度検知部と浴槽端末の浴槽水引込部との間の流路に高温の湯を満たした後、高温の湯よりも低温の浴槽水を浴槽水引込部から引き込み、浴槽水を引き込んだ際の温度検知部での温度変化に基づいて、温度検知部と浴槽水引込部との位置関係の判定を行う。【選択図】  図２
2012127585.tif 000002
【特許請求の範囲】
【請求項１】
液体を貯留するタンクと、
前記タンクに貯留される高温液体を生成する熱源と、
前記タンク内の高温の液体を用いて浴槽に設けられる浴槽端末から浴槽内に給湯する浴槽給湯流路と、
ポンプを駆動して浴槽端末の浴槽水引込部から浴槽水を引き込んで浴槽水用熱交換器において加熱した後に浴槽端末の浴槽水放出部から浴槽に戻す浴槽水加熱流路と、
浴槽への給湯動作及び浴槽水の引込動作を制御する制御部とを備え、
前記浴槽水加熱流路には、前記浴槽端末の浴槽水引込部と前記浴槽水用熱交換器との間に温度検知部が配置され、
前記浴槽給湯流路は、前記温度検知部と前記浴槽端末の浴槽水放出部との間で浴槽水加熱流路と合流し、少なくとも前記温度検知部と前記浴槽端末の浴槽水引込部との間の流路を通って前記浴槽に給湯するように構成され、
前記制御部は、前記熱源が高温液体を生成したことを確認し、高温液体の生成を確認する際に生成されたタンク内の高温液体を用いて前記浴槽に給湯を行って、前記少なくとも温度検知部と前記浴槽端末の浴槽水引込部との間の流路に高温の湯を満たした後、前記高温の湯よりも低温の浴槽水を前記浴槽水引込部から引き込み、前記浴槽水を引き込んだ際の前記温度検知部での温度変化に基づいて、前記温度検知部と浴槽水引込部との位置関係の判定を行うことを特徴とする給湯システム。
【請求項２】
前記位置関係の判定は、前記浴槽水の引き込みを開始してから、前記温度検知部で温度変化を検知するまでの温度変化検知時間に基づいて行われることを特徴とする請求項１に記載の給湯システム。
【請求項３】
前記制御部は、前記位置関係の判定後に前記浴槽水の温度を検知する場合、前記温度変化検知時間以上の時間、前記ポンプを駆動して前記浴槽水を引き込むことを特徴とする請求項２に記載の給湯システム。
【請求項４】
前記浴槽内に給水する浴槽給水流路をさらに備え、
前記位置関係の判定に先立って前記浴槽給水流路によって浴槽に給水し、
前記浴槽給水流路によって浴槽に給水する際に、浴槽への給水量と浴槽水の水位との相関関係を検出することを特徴とする請求項１〜３の何れか一項に記載の給湯システム。
【請求項５】
前記タンク内には高温水が貯留され、
前記浴槽給湯流路は、前記タンク内の高温水を浴槽に供給するように構成されることを特徴とする請求項１〜４の何れか一項に記載の給湯システム。
【請求項６】
前記浴槽給湯流路には、タンク内の高温の液体と給水とを熱交換させる給湯熱交換器が設けられ、
前記浴槽には、前記給湯熱交換器で加熱された給水を供給するように構成されることを特徴とする請求項１〜４の何れか一項に記載の給湯システム。
【請求項７】
液体を貯留するタンクと、
前記タンクに貯留される高温の液体を生成する熱源と、
前記タンク内の高温の液体を用いて前記浴槽端末から浴槽内に給湯する浴槽給湯流路と、
ポンプを駆動して浴槽端末の浴槽水引込部から浴槽水を引き込んで浴槽水用熱交換器において加熱した後に浴槽端末の浴槽水放出部から浴槽に戻す浴槽水加熱流路と、
浴槽への給湯動作及び浴槽水の引込動作を制御する制御部とを備え、
前記浴槽水加熱流路には、前記浴槽端末の浴槽水引込部と前記浴槽水用熱交換器に導入する浴槽水導入部との間に温度検知部が配置され、
前記浴槽給湯流路は、前記温度検知部と前記浴槽端末の浴槽水放出部との間で浴槽水加熱流路と合流し、少なくとも前記温度検知部と前記浴槽端末の浴槽水引込部との間の流路を通って前記浴槽に給湯するように構成される給湯システムの試運転方法であって、
前記制御部は、前記熱源が高温液体を生成したことを確認し、高温液体の生成を確認する際に生成されたタンク内の高温の液体を用いて前記浴槽に給湯を行って、前記少なくとも温度検知部と前記浴槽端末の浴槽水引込部との間の流路に高温の湯を満たした後、前記高温の湯よりも低温の浴槽水を前記浴槽水引込部から引き込み、前記浴槽水を引き込んだ際の前記温度検知部での温度変化に基づいて、前記温度検知部と浴槽水引込部との位置関係の判定を行うことを特徴とする給湯システムの試運転方法。
【発明の詳細な説明】
【技術分野】
【０００１】
本発明は、給湯システム及び給湯システムの試運転方法に関する。
【背景技術】
【０００２】
給湯機では、いわゆる湯張り終了時や追焚時に浴槽水加熱を行う必要があるか否かを判断するため、浴槽水の温度を検知する必要がある。この場合には、浴槽往き経路，浴槽戻り経路，バイパス経路を備える浴槽水加熱流路に設けたポンプを駆動し、浴槽に設けられる浴槽端末の浴槽水引込部から浴槽水を引き込む浴槽水引込動作を行い、浴槽水加熱流路に設けた温度検知部にて浴槽水の温度を検知する。
【０００３】
ところで、給湯機は設置場所によって浴槽から浴槽水加熱流路に設けた温度検知部までの距離が異なるものであり、特許文献１に示されるように、給湯機の設置場所にかかわらず一定量の浴槽水を引き込むのでは湯張り調整運転を迅速に開始できないといった問題がある。このため、特許文献１に記載された発明では、給湯機の据付時にその浴槽水循環時間の計測を行うこととしている。
【０００４】
具体的には、まず、浴槽のアダプタが水没する基準水位になる湯水量として設定した前期設定量Ｖ１の湯水を、水量センサの検出情報に基づいて積算しながら、前期設定温度Ｔ１にて循環路を通して浴槽に給湯して、循環路内をその全長に亘って前期設定温度Ｔ１の湯水で満たす。次に循環路内の全長に亘って満たされている前期設定温度Ｔ１の湯水に代えて循環路内を満たすのに必要な湯水量として設定した後期設定量Ｖ２の湯水を、水量センサの検出情報に基づいて積算しながら、前期設定温度Ｔ１とは異なる後期設定温度Ｔ２にて循環路を通して浴槽に給湯する。その後、ポンプを作動し、後期設定温度Ｔ２から、それとは異なる温度を検出するまでの経過時間を変更設定用データとして計測する。
【先行技術文献】
【特許文献】
【０００５】
【特許文献１】特開平１１−８３１５７号公報
【発明の概要】
【発明が解決しようとする課題】
【０００６】
しかしながら、特許文献１の給湯機は、タンクを備える給湯機ではないため、浴槽水循環時間の計測の際、配管を異なる温度の湯水で満たすためのみに、前期設定温度Ｔ１とは別に後期設定温度Ｔ２の温水を生成する必要がある。
【０００７】
従って、浴槽水循環時間の計測の際、工程が増えるといった問題や、エネルギーを無駄に使用してしまう問題がある。
【０００８】
そこで、本発明は、試運転時に行われる高温液体が生成されたことの確認の動作を利用して、温度検知部と浴槽水引込部との位置関係の判定を効率よく行うことができる給湯システム及び給湯システムの試運転方法を提供することを目的とする。
【課題を解決するための手段】
【０００９】
本発明は、液体を貯留するタンクと、前記タンクに貯留される高温液体を生成する熱源と、前記タンク内の高温の液体を用いて浴槽に設けられる浴槽端末から浴槽内に給湯する浴槽給湯流路と、ポンプを駆動して浴槽端末の浴槽水引込部から浴槽水を引き込んで浴槽水用熱交換器において加熱した後に浴槽端末の浴槽水放出部から浴槽に戻す浴槽水加熱流路と、浴槽への給湯動作及び浴槽水の引込動作を制御する制御部とを備え、前記浴槽水加熱流路には、前記浴槽端末の浴槽水引込部と前記浴槽水用熱交換器との間に温度検知部が配置され、前記浴槽給湯流路は、前記温度検知部と前記浴槽端末の浴槽水放出部との間で浴槽水加熱流路と合流し、少なくとも前記温度検知部と前記浴槽端末の浴槽水引込部との間の流路を通って前記浴槽に給湯するように構成され、前記制御部は、前記熱源が高温液体を生成したことを確認し、高温液体の生成を確認する際に生成されたタンク内の高温液体を用いて前記浴槽に給湯を行って、前記少なくとも温度検知部と前記浴槽端末の浴槽水引込部との間の流路に高温の湯を満たした後、前記高温の湯よりも低温の浴槽水を前記浴槽水引込部から引き込み、前記浴槽水を引き込んだ際の前記温度検知部での温度変化に基づいて、前記温度検知部と浴槽水引込部との位置関係の判定を行うことを特徴とする。
【発明の効果】
【００１０】
本発明によれば、試運転時に行われる高温液体が生成されたことの確認の動作を利用して、温度検知部と浴槽水引込部との位置関係の判定を効率よく行うことができる。
【図面の簡単な説明】
【００１１】
【図１】本発明の実施例１に係る給湯システムの図を示す。
【図２】本発明の実施例１に係る給湯システムの試運転方法のフロー図を示す。
【図３】本発明の実施例２に係る給湯システムの図を示す。
【図４】本発明の実施例３に係る給湯システムの図を示す。
【発明を実施するための形態】
【００１２】
以下、本発明の実施形態について説明する。
【実施例１】
【００１３】
実施例１に係る給湯システムは、図１に示すように、液体を貯留するタンク８と、タンク８に貯留される高温液体を生成する熱源９と、浴槽１内に給水する浴槽給水流路Ａと、タンク８内の高温の液体を用いて浴槽１に設けられる浴槽端末２０から浴槽１内に給湯する浴槽給湯流路Ｂと、ポンプ（浴槽循環ポンプ）４を駆動して浴槽端末２０の浴槽水引込部２０ａから浴槽水を引き込んで浴槽水用熱交換器２１において加熱した後に浴槽端末２０の浴槽水放出部２０ｂから浴槽１に戻す浴槽水加熱流路Ｃと、タンク１内の高温の液体を用いて浴槽端末２０から一般給湯端末２３に給湯する一般給湯流路Ｅとを備える。また、この給湯システムは、浴槽１への給湯動作及び浴槽水の引込動作を制御する制御部１３とを備える。
【００１４】
熱源９は、具体的には、電気を間接的に用いて熱を生成するヒートポンプユニットによって構成され、タンク８に貯蔵された液体は、ヒートポンプユニットによって生成された熱と熱交換することによって加熱されて高温の液体となる。なお、熱源は、これに限定されず、タンク８内に配置されるヒータであっても良く、燃焼により液体を加熱するバーナ等であっても良い。
【００１５】
浴槽給水流路Ａは、給水源２２からの給水が浴槽混合弁１４，浴槽電磁弁６を通り、浴槽端末２０を経て浴槽１に至る経路である。また、浴槽給湯流路Ｂは、タンク８からの高温水が浴槽混合弁１４，浴槽電磁弁６を通り、浴槽端末２０を経て浴槽１に至る流路である。浴槽混合弁１４では、タンク８からの高温水と給水源からの給水とが適宜混合される。また、浴槽給水流路Ａと浴槽給湯流路Ｂとは、浴槽混合弁１４で合流する。
【００１６】
浴槽水加熱流路Ｃは、浴槽端末２０及び浴槽水用熱交換器２１の浴槽水導入部２１ａを接続する浴槽戻り経路２と、浴槽水用熱交換器２１と、浴槽水用熱交換器２１の浴槽水流出部２１ｂ及び浴槽端末２０を接続する浴槽往き経路１８とを備えて構成される。浴槽水用熱交換器２１は、タンク８の内部に配置される。
【００１７】
浴槽戻り経路２は、給湯機３０に備えられる給湯機側浴槽戻り配管２ａと、給湯機３０と浴槽１との間に配置される外部浴槽戻り配管２ｂとを備え、給湯機側浴槽戻り配管２ａと、外部浴槽戻り配管２ｂとは、給湯機３０に備えられる戻り側接続部２ｃで接続される。
【００１８】
また、浴槽往き経路１８は、給湯機３０に備えられる給湯機側浴槽往き配管１８ａと、給湯機３０と浴槽１との間に配置される外部浴槽往き配管１８ｂとを備え、給湯機側浴槽往き配管１８ａと、外部浴槽往き配管１８ｂとは、給湯機３０に備えられる往き側接続部１８ｃで接続される。
【００１９】
浴槽水加熱流路Ｃには、浴槽端末２０の浴槽水引込部２０ａと浴槽水用熱交換器２１との間に温度検知部３が配置される。具体的には、温度検知部３は、浴槽水引込部２０ａと引き込まれた浴槽水を浴槽水用熱交換器２１に導入する浴槽水導入部２１ａとの間に配置される。なお、温度検知部３は、具体的には、温度センサによって構成される。
【００２０】
ここで、浴槽給湯流路Ｂは、温度検知部３と浴槽端末２０の浴槽水放出部２０ａとの間で浴槽水加熱流路Ｃと合流し、少なくとも温度検知部３と浴槽端末２０の浴槽水引込部２０ａとの間の流路（浴槽戻り経路２）を通って浴槽１に給湯するように構成される。即ち、浴槽給湯流路Ｂと浴槽水加熱流路Ｃとは、少なくとも温度検知部３と浴槽端末２０の浴槽水引込部２０ａとの間の流路を共用する構造となっている。具体的には、浴槽給湯流路Ｂは、浴槽電磁弁６より下流で浴槽水加熱流路Ｃと合流し、タンク８からの高温水は、浴槽端末２０の浴槽水引込部２０ａ及び浴槽水放出部２０ｂの両方から浴槽１に流出する。より具体的には、浴槽給湯流路Ｂは、浴槽戻り経路２における温度検知部３とポンプ４との間に接続されている。
【００２１】
また、浴槽給水流路Ａは、浴槽電磁弁６より下流で浴槽水加熱流路Ｃと合流し、給水源２２からの給水は、浴槽端末２０の浴槽水引込部２０ａ及び浴槽水放出部２０ｂの両方から浴槽１に流出する。具体的には、浴槽給水流路Ａは、浴槽戻り経路２における温度検知部３とポンプ４との間に接続されている。
【００２２】
また、浴槽水加熱流路Ｃには、浴槽水用熱交換器２１をバイパスするバイパス流路Ｄが設けられている。該バイパス流路Ｄは、浴槽戻り経路２と浴槽往き経路１８とを接続する。より具体的には、温度検知部３及びポンプ４は、浴槽戻り経路２に配置され、バイパス流路Ｄは、温度検知部３及びポンプ４よりも下流側の位置と浴槽往き経路１８とを接続する。また、バイパス流路Ｄには、浴槽戻り経路２と浴槽往き経路１８とを接続する配管を水が流通可能な状態と流通不能な状態とを切り替える循環調整弁５が備えられている。
【００２３】
そして、浴槽１内の湯水の温度検知の際には、ポンプ４を稼動させ、バイパス流路Ｄ内を浴槽水が流通し、温度検知部３によって検知するよう制御される。これにより、浴槽水の温度を検知する際に、浴槽水を一旦浴槽水用熱交換器２１に通さないでも浴槽水の温度を検知可能とすることができる。なお、ポンプ４が浴槽往き経路１８に配置される場合には、バイパス流路Ｄは、浴槽戻り経路２とポンプ４よりも上流側の位置とを接続するものであっても良い。
【００２４】
なお、この給湯システムには、制御部１３と通信可能に接続される風呂リモコン１０，台所リモコン１１とが備えられており、風呂リモコン１０または台所リモコン１１から出力された設定と各種センサの検出結果とに基づいて、熱源９，ポンプ４等の駆動を制御する。
【００２５】
次に、この給湯システムにおける動作例を説明する。
【００２６】
この給湯システムにおける動作例として、まず、通常運転時の動作を説明する。
【００２７】
通常運転時の動作として、まず、浴槽給湯について説明する。浴槽１への給湯態様としては、浴槽１が空の状態から浴槽１を概ね満たす量の湯を給湯する「湯張り」、湯張りされた浴槽１に対してさらに湯を追加する目的で、湯張りよりも少ない量を給湯する「たし湯」、湯張りされた浴槽１に対してさらに湯を追加する目的と、浴槽水の温度を上昇させる目的で、湯張りよりも少ない量で、且つ浴槽給湯設定温度よりも高い温度の湯を給湯する「高温差し湯」がある。
【００２８】
例えば、「たし湯」を行うときには、浴槽電磁弁６を開き、タンク８上部から取り出した高温水と給水源２２からの低温の給水とを浴槽混合弁１４でユーザーの設定した温度に対応する温度となるように混合し、一定量の湯（例えば、２０Ｌ）を検知するまで、浴槽１に給湯する。
【００２９】
次に、通常運転時の動作として、浴槽水加熱運転（いわゆる追焚運転）について説明する。浴槽水加熱運転では、ポンプを駆動して浴槽端末の浴槽水引込部２０ａから浴槽水を引き込んで浴槽水用熱交換器２１において加熱した後に浴槽端末２０の浴槽水放出部２０ｂから浴槽に戻す運転を行う。
【００３０】
ところで、浴槽給湯終了時や、浴槽水加熱運転開始時には、浴槽水温度検知動作が行われる。この浴槽水温度検知動作では、ポンプ４を駆動して浴槽水引込部２０ａから浴槽水を引き込んで温度検知部３を通過させた後に浴槽水放出部２０ｂから浴槽１に戻す動作を行う。
【００３１】
具体的には、浴槽水温度検知動作の際には、所定のポンプ駆動時間、ポンプ４を駆動する。また、浴槽水温度検知動作の場合には、循環調整弁５を浴槽戻り経路２とバイパス流路Ｄとを連通させる状態として、ポンプを駆動する。
【００３２】
ところで、浴槽水引込部２０ａからバイパス流路Ｄを経由して浴槽水放出部２０ｂに到る流路は、浴槽水温度検知流路として特定することもできる。
【００３３】
なお、一般給湯流路によって一般給湯端末２３へ給湯する際の一般給湯の動作については説明を割愛する。
【００３４】
次に、この給湯システムにおける動作例として、例えば給湯機３０の据付時に実施される試運転時の動作を説明する。
【００３５】
この給湯機３０は、例えば初めて電源を入れた際に、まず試運転を行うかどうかを確認する。具体的には、制御部１３が試運転を行うか否かの選択を風呂リモコン１０又は台所リモコン１１の表示部に表示する。そして、操作者が試運転を実行する旨の指令を入力した場合に、試運転が開始される。一方、試運転を実行しない旨の指令を入力した場合には、後述する通常運転に移行する。
【００３６】
試運転においては、制御部１３は、まず、タンク８に貯留される高温液体を生成する動作を行う（Ｓ１）。この動作は、「タンク沸き上げ確認動作」と呼ばれる。これにより、高温液体を生成する動作が確実に行われたかどうかを確認する。具体的には、タンク８下部より貯留された水を、熱源９によって生成された熱と熱交換することによって加熱された高温の液体をタンク８上部に戻して貯留し、タンクユニット上部の温度（具体的には、温度検知部７での検知温度）が定められた温度以上になった場合に正常と判断する。従って、高温液体を生成する動作を行う動作では、タンク８上部に貯留される量（例えば、３０Ｌ）の高温の液体を生成すれば充分である。
【００３７】
次に、制御部１３は、浴槽１への給水量と浴槽水の水位との相関関係を検出する動作を行う（Ｓ２）。この動作は、「浴槽水位検出動作」と呼ばれる。浴槽１への給水量に対する浴槽１の水位の変化量は、浴槽１の容積や形状等によって変わるものであるため、この相関関係を割り出し、自動での浴槽給湯の際に利用するものである。具体的には、浴槽電磁弁６を開き、給水源２２からの給水を浴槽混合弁１４を介し、さらに浴槽戻り経路２を通して、定水量を検知するまで、浴槽１に給水動作をする。給水した水量と検知した水位により、浴槽給湯するために必要な量を計算して記憶する。
【００３８】
ところで、後述する位置関係の判定の際に浴槽水と浴槽給湯された湯との温度差を利用するため、浴槽水位検出動作では、浴槽給湯流路Ｂによって供給される湯よりも低温の水を浴槽１に供給する。この、浴槽水位検出動作は、概ね２０分で終了する。
【００３９】
そして、高温液体を生成する動作（Ｓ１）及び浴槽１への給水量と浴槽水の水位との相関関係を検出する動作（Ｓ２）の結果が共に正常であった場合、次の動作に移行する。次の動作では、制御部１３は、高温液体の生成を確認する際に生成されたタンク８内の高温液体を用いて浴槽１に給湯を行って、少なくとも温度検知部３と浴槽端末２０の浴槽水引込部２０ａとの間の流路に高温の湯を満たす動作を行う（Ｓ３）。
【００４０】
ところで、上述したとおり、浴槽への給湯態様としては、「湯張り」，「たし湯」，「高温差し湯」がある。ただし、この試運転での浴槽給湯は、少なくとも温度検知部と浴槽端末２０の浴槽水引込部２０ａとの間の流路（浴槽戻り経路２）に浴槽水よりも高温の湯を満たすものであればよい。従って、この試運転における浴槽給湯では、「たし湯」による浴槽給湯に相当する動作が行われる。なお、参考値を示すと、外部浴槽戻り配管２ｂの長さは、最長でも１５００cm程度が推奨されている。また、外部浴槽戻り配管２ｂの直径は、概ね１.５〜２.０cm程度である。従って、この配管を湯で満たす場合には、５Ｌ程度の湯が必要とされる。
【００４１】
次に、制御部１３は、浴槽給湯で給湯された高温の湯よりも低温の浴槽水を浴槽水引込部２０ａから引き込み、浴槽水を引き込んだ際の温度検知部３での温度変化に基づいて、温度検知部３と浴槽水引込部２０ａとの位置関係を判定する動作を行う（Ｓ４）。
【００４２】
具体的には、位置関係の判定は、浴槽水の引き込みを開始してから、温度検知部３で温度変化を検知するまでの温度変化検知時間に基づいて行われる。
【００４３】
次に、制御部１３は、温度変化検知時間に基づいて、前記所定のポンプ駆動時間を決定し、記憶する（Ｓ５）。具体的には、前記所定のポンプ駆動時間は、温度変化検知時間に所定の余裕時間（例えば、数秒程度）を足した時間に設定される。即ち、位置関係の判定後の通常運転時に浴槽水の温度を検知する際は、温度変化検知時間以上の時間、ポンプを駆動して浴槽水を引き込む。
【００４４】
以上のような給湯システムによれば、試運転時に行われる高温液体が生成されたことの確認の動作を利用して、温度検知部と浴槽水引込部との位置関係の判定を効率よく行うことができる。即ち、この給湯機３０は、タンクを備える貯留式の給湯機であるため、高温液体が生成されたことの確認を行う際に高温液体をタンクに貯留しておき、その確認のために生成された高温液体を用いて温度検知部と浴槽水引込部との位置関係の判定を行うことができる。従って、エネルギーを無駄に使用することがない。
【実施例２】
【００４５】
次に、実施例２に係る給湯システム及び給湯システムの試運転方法について説明する。なお、実施例１と共通する構成については、同一符号を用いることとし、説明を割愛する。
【００４６】
実施例２に係る給湯システムは、図２に示すように、浴槽水用熱交換器２１がタンク８の外部に配置される。また、浴槽水加熱流路Ｃ自体が浴槽水温度検知流路として機能する。
【００４７】
実施例２に係る給湯システムでは、浴槽水位検出動作を行う際は、図２に示すように、給水源２２からの給水をシスターンタンク１９，浴槽混合弁１４，浴槽機能ポンプ１５，浴槽切替弁１６，浴槽戻り経路２を介して浴槽まで導く。また、浴槽給湯動作を行う際は、浴槽機能ポンプ１５を稼動させ、タンク８内の温水を、中温水混合弁１７及び浴槽混合弁１４を介し、浴槽切替弁１６を浴槽１側に開いて、浴槽戻り経路２を経由して給湯するものである。そして、温度検知部３と浴槽水引込部２０ａとの位置関係を判定する動作では、ポンプ４を駆動し、浴槽水を浴槽戻り経路２，浴槽水用熱交換器２１，浴槽往き経路１８の順に流通させる。
【００４８】
実施例２に係る給湯システムであっても、試運転時に行われる高温液体が生成されたことの確認の動作を利用して、温度検知部と浴槽水引込部との位置関係の判定を効率よく行うことができる。従って、エネルギーを無駄に使用することがない。
【実施例３】
【００４９】
次に、実施例３に係る給湯システム及び給湯システムの試運転方法について説明する。なお、実施例１及び実施例２と共通する構成については、同一符号を用いることとし、説明を割愛する。
【００５０】
実施例３に係る給湯システムは、実施例１及び２に係る給湯システムのようにタンク８内に貯留される高温の液体をそのまま浴槽１に給湯するのではなく、図３に示すように、浴槽給湯流路Ｂにタンク８内の高温の液体と給水とを熱交換させる給湯熱交換器２４が設けられ、この給湯熱交換器２４で加熱された給水を浴槽１に供給するように構成されるものである。
【００５１】
実施例３に係る給湯システムでは、浴槽給湯動作を行う際、一次側循環ポンプを駆動してタンク８内の高温液体を給湯熱交換器２４の一次側に導入し、給湯熱交換器２４の二次側に導入される給水源２２からの給水を加熱して、浴槽に給湯する。なお、実施例３に係る給湯システムは、タンク８に給水源２２からの給水が貯留される。ただし、このような間接加熱方式の給湯機では、タンク８内に貯留される高温の液体は、そのまま給湯されるのではなく、熱媒体として利用されるものであることから、タンク８内に貯留される高温の液体は、水でなくてもよく、例えば、潜熱蓄熱剤等を含む液体であってもよい。
【００５２】
実施例３に係る給湯システムであっても、試運転時に行われる高温液体が生成されたことの確認の動作を利用して、温度検知部と浴槽水引込部との位置関係の判定を効率よく行うことができる。従って、エネルギーを無駄に使用することがない。
【００５３】
なお、本発明に係る給湯システム及び給湯システムの試運転方法は、上記実施形態の構成に限定されるものではなく、発明の趣旨を逸脱しない範囲内で種々の変更が可能である。
【００５４】
例えば、上記実施形態においては、位置関係の判定は、前記浴槽水の引き込みを開始してから、前記温度検知部で温度変化を検知するまでの温度変化検知時間に基づいて行われるものとして説明したが、これに限定されるものではなく、例えば、浴槽水引込動作の開始から、温度検知部で温度変化を検知するまでの間に引き込まれる浴槽水の引込量に基づいて判定されるものであってもよい。
【００５５】
また、上記実施形態においては、位置関係の判定に先立って前記浴槽給水流路によって浴槽に給水するものとして説明したが、これに限定されるものではなく、一般給湯端末から浴槽に給水するものであってもよい。
【符号の説明】
【００５６】
１  浴槽
２  浴槽戻り経路
３，７  温度検知部
４  ポンプ
５  循環調整弁
６  浴槽電磁弁
８  タンク
９  熱源
１０  風呂リモコン
１１  台所リモコン
１２  水位センサ
１３  制御部
１４  浴槽混合弁
１５  浴槽機能ポンプ
１６  浴槽切替弁
１７  中温水混合弁
１８  浴槽往き経路
２０  浴槽端末
２１  浴槽水用熱交換器
２２  給水源
２３  一般給湯端末
２４  給湯熱交換器
３０  給湯機
Ａ  浴槽給水流路
Ｂ  浴槽給湯流路
Ｃ  浴槽水加熱流路
Ｄ  バイパス流路
Ｅ  一般給湯流路
【図１】
2012127585.tif 000003
【図２】
2012127585.tif 000004
【図３】
2012127585.tif 000005
【図４】
2012127585.tif 000006